(57)【要約】【課題】コンテンツの不正利用、不正コピーを防止しつつ、コンテンツを購入したユーザに対しては複数のコンピューティングデバイスによる当該コンテンツの再生を許可する。【解決手段】本発明は、ユーザ端末５によりコンテンツの購入がなされた場合に、当該コンテンツのライセンス情報をライセンスＤＢに格納するＷｅｂサーバ１と、上記ライセンス情報としてユーザＩＤ、コンテンツＩＤ、暗号化されているコンテンツを復号化する鍵の情報を少なくとも関係付けて記憶するライセンスＤＢを備えたライセンスＤＢサーバ３とを有し、上記ユーザ端末５より購入済のコンテンツの再生が指示された場合には、上記ライセンスＤＢに記憶されている上記ライセンス情報に基づいて当該コンテンツの配信の可否を判断することを特徴とするコンテンツ配信システムである。【選択図】      図１
2006129095.tif 000002
【特許請求の範囲】
【請求項１】
ライセンスの許諾状況に応じてコンテンツをユーザ端末に配信するコンテンツ配信システムにおいて、
上記ユーザ端末によりコンテンツの購入がなされた場合に、当該コンテンツのライセンス情報をライセンスデータベースに格納するサーバと、
上記ライセンス情報としてユーザＩＤ、コンテンツＩＤ、暗号化されているコンテンツを復号化する鍵の情報を少なくとも関係付けて記憶するライセンスデータベースと、
を有し、上記サーバは、上記ユーザ端末より購入済のコンテンツの再生が指示された場合には、上記ライセンスデータベースに記憶されている上記ライセンス情報に基づいて当該コンテンツの配信の可否を判断することを特徴とするコンテンツ配信システム。
【請求項２】
上記サーバは、上記コンテンツの配信を認める場合に、上記ユーザ端末に上記ライセンスデータベースのライセンス情報に含まれる鍵の情報を参照して当該鍵の情報により暗号化されているコンテンツを復号化するように促すことを更に特徴とする請求項１に記載のコンテンツ配信システム。
【請求項３】
上記サーバは、上記コンテンツの配信を認める場合には、上記ライセンス情報に含まれる鍵の情報をユーザ端末に送信して暗号化されたコンテンツを復号化するように促すと共に当該復号化の後に当該鍵の情報を自動的に消去するように促すことを更に特徴とする請求項１に記載のコンテンツ配信システム。
【請求項４】
ライセンスの許諾状況に応じてコンテンツをユーザ端末に配信するコンテンツ配信システムにおいて、
上記ユーザ端末によりコンテンツの購入がなされた場合に、当該コンテンツのライセンス情報をライセンスデータベースに格納するように第２のサーバに指示を行う制御部を備えた第１のサーバと、
上記ライセンス情報としてユーザＩＤ、コンテンツＩＤ、暗号化されているコンテンツを復号化する鍵の情報を少なくとも関係付けて記憶するライセンスデータベースを保有する第２のサーバと、
を有し、上記第１のサーバは、上記ユーザ端末より購入済のコンテンツの再生が指示された場合には、制御部により上記ライセンスデータベースに記憶されている上記ライセンス情報に基づいて当該コンテンツの配信の可否を判断することを特徴とするコンテンツ配信システム。
【請求項５】
上記第１のサーバは、上記コンテンツの配信を認める場合には、制御部により上記ユーザ端末に上記ライセンスデータベースのライセンス情報に含まれる鍵の情報を参照して当該鍵の情報により暗号化されているコンテンツを復号化するように促すことを更に特徴とする請求項１に記載のコンテンツ配信システム。
【請求項６】
上記第１のサーバは、上記コンテンツの配信を認める場合には、制御部により上記ライセンス情報に含まれる鍵の情報をユーザ端末に送信して暗号化されたコンテンツを復号化するように促すと共に当該復号化の後に当該鍵の情報を自動的に消去するように促すことを更に特徴とする請求項１に記載のコンテンツ配信システム。
【発明の詳細な説明】
【技術分野】
【０００１】
この発明は、ユーザの購入したコンテンツに係るライセンス情報を管理し、当該ライセンス情報に基づき、当該ユーザの使用するデバイスに依存することなく、所望とされるデジタルコンテンツを配信するコンテンツ配信システムに関する。
【背景技術】
【０００２】
従来、情報技術を使用したコンテンツ配信システムから、映像や音楽、画像等といった所望のコンテンツを購入した場合には、当該コンテンツの再生は購入時に使用したコンピューティングデバイスに限られている。それは、コンテンツホルダが、販売するコンテンツの不正利用、不正コピーを防止するためにデジタル著作権管理（以下、ＤＲＭと称する）システムを導入し、コンテンツ再生に制限をかけているからである。
今日では、コンピューティングデバイスは家庭内でのディスクトップパーソナルコンピュータ（以下、パソコンと略記する）、持ち出し用のノートパソコン、ＰＤＡ、携帯電話等々に多様化してきている。また、情報技術、ブロードバンド化の進展、デジタル放送の開始などに伴って、Ｗｅｂストリーミング放送、蓄積型放送、家庭内ビデオサーバ、デジタル家電などの利用の動きが出てきている。また、昨今では、消費者は数千曲をポケットサイズのデバイスに格納することができ、携帯電話で音楽やビデオを再生することができ、ボタンを１回クリックするだけでアルバムを購入することもできる。映画配信においてもデジタル化の動きが顕著になってきている。つまり、パソコンの小さなモニタにて、ひとりで映像視聴という感覚ではなく、従来の居間にある大型モニタの感覚でデジタルコンテンツをインターネットから購入して視聴する方向へと向かいつつある。
これらのインフラの動きを踏まえて、ユーザはライセンス購入した音楽や映画などのコンテンツを、ビデオレンタルと同様に、どこでも、どのデバイスでも再生したいと考えている。また、生活形態から見てコンテンツをデバイスから他のデバイスへと転送することが可能でなくてはならない。コンピュータでの再生という意識ではなく従来のテレビでの視聴と同様の環境で、Ｗｅｂ環境下でも提供することがコンテンツ産業の活性化に必須である。さらに、複数の異なるＤＲＭシステムに、それぞれの手順で、それぞれの環境にて扱うという手間をかけずに、ユーザが自由にコンテンツにアクセスできるようにならなければ、ＤＲＭは束縛感のみが強くなってユーザには受け入れられない。
昨今では、インターネットで提供されるコンテンツでは、多数の暗号化技術や不正コピー防止技術が競合しており、どのコンテンツがどのデバイスで再生できるのかにユーザは戸惑うことになる。ユーザの立場では購入したコンテンツは、本来、どこでも視聴できて当然でもある。しかし、コンテンツホルダ、コンテンツ配信各社はそれぞれ独自の再生技術とＤＲＭ技術を開発・提供しているのが現状である。これは、ある配信会社より購入した音楽データは同社の専用プレイヤーデバイスでしか再生することができないことを意味している。このような状況下では、使用するプレイヤーにより購入できるコンテンツが先に定まり、再生デバイスが固定化されてしまうという不具合が生じる。
このような問題に鑑みて、特許文献１では、コンテンツの不正利用を防止しながら、一旦ライセンスを受けた利用者が複数の機器に跨ってコンテンツを利用することを可能とするコンテンツ配信システムに関する技術が開示されている。
【特許文献１】特許公開２００４−２２７２８３公報
【発明の開示】
【発明が解決しようとする課題】
【０００３】
しかしながら、特許文献１に開示された技術は、一のクライアントで取得したコンテンツを他のクライアントに保管する際に、当該他のクライアントの情報をそのコンテンツに付加し、当該他のクライアントを特定できるようにすることにより、コンテンツの保護を担保しながら双方のクライアント間でのコンテンツの共有を実現するものであり、クライアントデバイスに依存した解決手法となっている。
【０００４】
本発明の目的とするところは、コンテンツの不正利用や不正コピーを防止しつつ、コンテンツを購入したユーザに対して、そのライセンス情報に基づき、使用するデバイスに依存することなく複数のコンピューティングデバイスによるコンテンツの再生を許可するコンテンツ配信システムを提供することにある。
【課題を解決するための手段】
【０００５】
上記課題を解決するために、本発明の一つの態様によれば、ライセンスの許諾状況に応じてコンテンツをユーザ端末に配信するコンテンツ配信システムにおいて、上記ユーザ端末によりコンテンツの購入がなされた場合に、当該コンテンツのライセンス情報をライセンスデータベースに格納するサーバと、上記ライセンス情報としてユーザＩＤ、コンテンツＩＤ、暗号化されているコンテンツを復号化する鍵の情報を少なくとも関係付けて記憶するライセンスデータベースと、を有し、上記サーバは、上記ユーザ端末より購入済のコンテンツの再生が指示された場合には、上記ライセンスデータベースに記憶されている上記ライセンス情報に基づいて当該コンテンツの配信の可否を判断することを特徴とするコンテンツ配信システムが提供される。
【０００６】
この態様において、上記サーバは、上記コンテンツの配信を認める場合に、上記ユーザ端末に上記ライセンスデータベースのライセンス情報に含まれる鍵の情報を参照して当該鍵の情報により暗号化されているコンテンツを復号化するように促すことを更に特徴とするようにしてもよい。
また、この態様において、上記サーバは、上記コンテンツの配信を認める場合には、上記ライセンス情報に含まれる鍵の情報をユーザ端末に送信して暗号化されたコンテンツを復号化するように促すと共に当該復号化の後に当該鍵の情報を自動的に消去するように促すことを更に特徴とするようにしてもよい。
【発明の効果】
【０００７】
本発明によれば、コンテンツの不正利用や不正コピーを防止しつつ、コンテンツを購入したユーザに対して、そのライセンス情報に基づき、使用するデバイスに依存することなく複数のコンピューティングデバイスによるコンテンツの再生を許可するコンテンツ配信システムを提供することができる。
【発明を実施するための最良の形態】
【０００８】
以下、図面を参照しつつ本発明の実施の形態について詳細に説明する。
図１は本発明の一実施の形態に係るコンテンツ配信システムの構成を示す図である。
この図１に示されるように、本実施の形態に係るコンテンツ配信システムは、ユーザ端末５とＷｅｂサーバ１、検索データベース（以下、ＤＢと略記する）サーバ２、ライセンスＤＢサーバ３、コンテンツ配信サーバ４がインターネット等のネットワーク６を介して通信自在に接続され構成されている。つまり、デジタル著作権管理（ＣＲＭ）システムを技術的に拡張したものとなっている。尚、この例では、サーバ１乃至３を物理的に別体としたが、各機能を論理的に区分けすれば、これより少ない数でも実現できる。
【０００９】
このような構成において、本システムでは、コンテンツとライセンスとを分離し、更に購入されたコンテンツのライセンス情報をライセンスＤＢサーバ３で一元管理している点に特徴がある。このライセンスの発行はコンテンツを購入したユーザに対して行うのであって、ユーザの所有するデバイスに対して行うものではない。ユーザが購入済みのコンテンツを視聴したいと希望した際には、Ｗｅｂサーバ１にログインし、ライセンスＤＢサーバ３に対してライセンス情報の問い合わせを行い、ライセンス情報を得る。そして、このライセンス情報に基づいて、ユーザが使用するデバイスに依存することなく購入済のコンテンツを視聴することの可否を判断する。この詳細については後述する。
【００１０】
上記Ｗｅｂサーバ１の詳細な構成は図２に示される通りである。
即ち、Ｗｅｂサーバ１は、全体の制御を司る制御部１１と通信制御部１２、記憶部１３を有している。そして、制御部１１は、更にＷｅｂサイト機能１１ａとコンテンツ検索機能１１ｂ、ライセンス保有状況確認・表示機能１１ｃ、再生指示機能１１ｄ、サンプル再生・プレビュー表示機能１１ｅ、ライセンス情報登録・更新機能１１ｆ、通知機能１１ｇを少なくとも有している。そして、このような構成のＷｅｂサーバ１が提供するＷｅｂサイトは、ユーザ端末がログインを行い、購入するコンテンツを検索し、ライセンスの購入やライセンスの保有状況を確認し、コンテンツの再生指示等を行うためのＷｅｂインターフェイスとして機能し得るものである。
【００１１】
ここで、Ｗｅｂサーバ１の有する上記各機能について更に詳述する。
先ず、Ｗｅｂサイト機能１１ａは、Ｗｅｂブラウザを起動してユーザがログインした場合に所定のＷｅｂ画面の表示を促し、コンテンツの検索等の操作を実現するための機能である。また、Ｗｅｂサイト機能１１ａは、ユーザログインの際にはセキュアな認証機能を発揮する。コンテンツ検索機能１１ｂは、検索ＤＢサーバ２にアクセスし、検索結果の表示を行うための機能である。ライセンス保有状況確認・表示機能１１ｃは、ライセンスＤＢサーバ３にアクセスして、例えばユーザ毎のライセンス保有状況を取得して確認し、ユーザ専用のページにて表示するための機能である。再生指示機能１１ｄは、ユーザ端末５に対して再生を促すための指示を行う機能である。サンプル再生・プレビュー表示機能１１ｅは、検索結果の一覧画面にて、プレビュー画像の確認やサンプルによる簡単な内容確認を行うための機能である。ライセンス情報登録・更新機能１１ｆはライセンスＤＢにライセンス情報を登録、或いは既に登録されているライセンス情報の更新をライセンスＤＢサーバ３に指示するための機能である。そして、通知機能１１ｇはユーザ端末５にライセンス購入完了の通知をはじめとする各種通知を行うものである。
【００１２】
上記検索ＤＢサーバ２の詳細な構成は図３に示される通りである。
即ち、この検索ＤＢサーバ２は、制御部２１、通信制御部２２、検索ＤＢ２３を有している。検索ＤＢ２３は、実コンテンツに対応するメタデータを格納し、複数の条件による動画の検索を可能とする。この検索ＤＢ２３には、Ｗｅｂサイト内の検索ページからアクセスすることができる。制御部２１のメタデータ格納機能２１ａは検索ＤＢ２３にメタデータを格納するための機能であり、メタデータ検索機能２１ｂはＷｅｂサイトから要求を受けて、検索ＤＢ２３よりメタデータを検索し、結果を返信するための機能である。
上記ライセンスＤＢサーバ３の詳細な構成は図４に示される通りである。
【００１３】
即ち、このライセンスＤＢサーバ３は、制御部３１と通信制御部３２、ライセンスＤＢ３３を有している。ライセンスＤＢ３３は、登録ユーザ毎のライセンス情報やライセンス保有状況等の情報を格納するデータベースであり、Ｗｅｂサイトにてユーザがコンテンツ購入を行った際には、そのライセンスの情報を格納する。ライセンスＤＢサーバ３の有する各機能について更に詳述すると、ライセンスデータ格納機能３１ａはライセンスＤＢ３３にライセンス情報を格納するための機能である。ライセンス保有状況検索機能３１ｂは、Ｗｅｂサイトからの要求を受けて、ユーザのライセンス保有状況を検索し、その結果を返信するための機能である。そして、ライセンス保有状況照合機能３１ｃは、ユーザ端末５からの要求を受けて、再生要求されたコンテンツに対するユーザのライセンス保有状況を照合し、その結果を返信するための機能である。
【００１４】
ここで、ライセンスＤＢ３３の格納データ(テーブル)の一例は図５に示される通りである。即ち、すなわち、例えば図５の例では、ユーザの識別番号であるユーザＩＤ（U00000000001）に、コンテンツの識別番号であるコンテンツＩＤ（ABC000001）と、暗号化されたコンテンツを復号化するための鍵である暗号鍵（ABC000001.key） と、ユーザが視聴可能な期間（或いは回数）である有効期間（或いは回数）（2004.12.31）が対応付けられて記憶されている。これらはライセンス情報に相当する。尚、暗号化方式としては公開鍵暗号方式（RSA，だ円曲線暗号）や共通鍵暗号方式（DES,FEAL,AES）等といった公知の方式を採用することができるので、これ以上の説明を省略する。
以上のほか、コンテンツ配信サーバ４は、コンテンツファイルを保持し、ユーザ端末５からの要求を受けて、該当するコンテンツファイルの配信を行う配信機能を有する。
【００１５】
このように、本発明の一実施の形態に係るコンテンツ配信システムは、ライセンスの許諾状況に応じてコンテンツをユーザ端末５に配信するものであり、上記ユーザ端末５によりコンテンツの購入がなされた場合に、当該コンテンツのライセンス情報をライセンスＤＢ３３に格納するようにライセンスＤＢサーバ３に指示を行うライセンス情報登録・更新機能１１ｆを含む制御部１１を備えたＷｅｂのサーバ１と、上記ライセンス情報としてユーザＩＤ、コンテンツＩＤ、暗号化されているコンテンツを復号化する鍵の情報を少なくとも関係付けて記憶するライセンスＤＢ３３を保有するライセンスＤＢサーバ３とを有し、上記Ｗｅｂサーバ１は、上記ユーザ端末５より購入済のコンテンツの再生が指示された場合には、制御部１１のライセンス保有状況確認・表示機能１１ｃにより上記ライセンスＤＢ３３に記憶されている上記ライセンス情報に基づいて当該コンテンツの配信の可否を判断することを特徴とする。
【００１６】
そして、Ｗｅｂサーバ１は、上記コンテンツの配信を認める場合には、制御部１１の再生指示機能１１ｄにより上記ユーザ端末５に上記ライセンスＤＢ３３のライセンス情報に含まれる鍵の情報を参照して当該鍵の情報により暗号化されているコンテンツを復号化するように促す。或いは、Ｗｅｂサーバ１は、上記コンテンツの配信を認める場合には、制御部１１の再生指示機能により上記ライセンス情報に含まれる鍵の情報をユーザ端末５に送信して暗号化されたコンテンツを復号化するように促すと共に当該復号化の後に当該鍵の情報を自動的に消去するように促す。
【００１７】
以下、更に詳細にこの実施の形態に係るシステムの作用を述べる。
先ず、図６のフローチャートを参照して、本発明の一実施の形態に係るコンテンツ配信システムによるコンテンツ購入時の処理の流れを詳細に説明する。
ユーザ端末５は、インターネット等のネットワーク６を介して、Ｗｅｂサーバ１が提供するユーザ登録済みのＷｅｂサイトにログインする。即ち、ユーザ端末５が要求に応じてサブスクライブ(加入者名)とＩＤを送信すると（ステップＳ１）、Ｗｅｂサーバ１は相互ＩＤ認証を行い、認証成立の場合、セキュアチャンネルを確立する（ステップＳ２）。
【００１８】
続いて、所望とするコンテンツの検索を行う。即ち、ユーザ端末５により複数条件による検索を行い、購入を所望するコンテンツを検索すると（ステップＳ３）、Ｗｅｂサーバ１が検索ＤＢサーバ２に接続して検索ＤＢ２３の検索を指示し（ステップＳ４）、検索ＤＢサーバ２が検索結果をＷｅｂサーバ１に返信すると（ステップＳ５）、Ｗｅｂサーバ１はユーザ端末５に当該検索結果の表示を促すことになる（ステップＳ６）。
【００１９】
次いで、ユーザはユーザ端末５にて、検索結果に基づいてコンテンツを選択し、この選択したコンテンツに対してライセンス購入を行う（ステップＳ７）。すると、Ｗｅｂサーバ１は、購入処理を行い、課金が終了したら、その制御部１１のライセンス情報登録・更新機能１１ｆによりライセンス情報（コンテンツＩＤ、ユーザＩＤ、鍵、オプション情報（有効期間や回数等）を含む）の登録をライセンスＤＢサーバ３のライセンスＤＢ３３に対して行い（ステップＳ８）、ライセンスＤＢサーバ３からの登録完了の通知を受けると（ステップＳ９）、Ｗｅｂサーバ１は制御部１の通知機能１１ｇによりライセンス購入完了の通知をユーザ端末５に対して行い（ステップＳ１０）、こうしてコンテンツ購入時の一連の処理を終了する。
【００２０】
次に、図７のフローチャートを参照して、本発明の一実施の形態に係るコンテンツ配信システムによるコンテンツ再生要求時の処理の流れを詳細に説明する。
ユーザ端末５にてユーザがマイページを開いて（ステップＳ１１）、自分の購入済のコンテンツのライセンス保有状況確認要求をなすと（ステップＳ１２）、Ｗｅｂサーバ１はライセンスＤＢサーバ３に対して当該ユーザのライセンス情報の問い合わせを行う（ステップＳ１３）。この要求を受けると、ライセンスＤＢサーバ３は、ライセンスＤＢ３３を検索してライセンス情報をＷｅｂサーバ１に返信する（ステップＳ１４）。Ｗｅｂサーバ１は、ライセンス保有状況の表示をユーザ端末５に促す（ステップＳ１５）。そして、ユーザ端末５がコンテンツの選択・再生指示を行うと（ステップＳ１６）、Ｗｅｂサーバ１はユーザ端末５に対してプレイヤーの起動を指示し（ステップＳ１７）、この再生要求時の処理を終了する。
【００２１】
次に、図８のフローチャートを参照して、本発明の一実施の形態に係るコンテンツ配信システムによるコンテンツ再生時の処理の流れを詳細に説明する。
図７で前述したように、再生指示が行われ、ユーザ端末５にてプレイヤーが起動されると、ユーザ端末５は、ライセンスＤＢサーバ３にライセンス確認要求をなす（ステップＳ３０）。ライセンスＤＢサーバ３では、ユーザＩＤを照合して該当コンテンツのライセンス状況をチェックする。そして、ライセンス確認結果をユーザ端末５に通知する（ステップＳ３１）。ここで、該当するコンテンツのライセンスが購入済みの場合、２通りの挙動のうちどちらかが適用される。即ち、ライセンスキーをユーザ端末５にダウンロードすることなくコンテンツのストリーミング再生を開始する。或いは、ライセンスキーをユーザ端末５にダウンロードした後、コンテンツの再生を開始する。後者の場合はライセンスキーはコンテンツ再生後、自動消去される（ステップＳ３２，Ｓ３３）。こうしてユーザが再生を終了したら、ユーザ端末５はその旨をライセンスＤＢサーバ３に通知し（ステップＳ３４）、必要な処理（例えば再生回数が限定されていれば、残再生回数の値を減らす等）を行い（ステップＳ３４）、一連の処理を終了する。
【００２２】
以上詳述したように、本発明の実施の形態に係るコンテンツ配信システムによれば、ユーザはＤＲＭシステムによるライセンス管理下でのコンテンツを、束縛無く、見るためのストレスや面倒さが無く、テレビ視聴と同様の感覚でライセンスの下、自由に視聴することができる。即ち、コンテンツホルダにとっては販売するコンテンツの不正利用、不正コピーを防止でき、かつコンテンツライセンス購入ユーザにとっては再生デバイスが固定化されることなく、視聴したいデバイスや再生機器で、許諾ライセンスに従って、デバイスを考慮することなく、自由に視聴することができる。
【００２３】
さらに、この実施の形態に係るコンテンツ配信システムによれば、再生デバイスに依存しないユーザへのライセンス方式を採用したデジタル著作権管理（ＤＲＭ）システムとの融合によるインターネット放送が実現され、高品質なデジタルコンテンツを広く流通させることが可能となり、次世代コンテンツ産業を開花させることが可能となる。
【００２４】
以上、本発明の一実施の形態について詳細に説明したが、本発明はこれに限定されることなくその主旨を逸脱しない範囲で様々な改良・変更が可能であることは勿論である。
例えば、インターネット放送局、ＣＡＴＶ等によるオンデマンド映像配信、企業内教育用映像配信システム、デジタル放送によるコンテンツ販売等、デジタル家電向けビジネスモデルの供給等、多様な技術応用が可能であり、その場合、顧客への利便性を実現することができる。より具体的には、インターネットなどのネットワーク環境下でライセンスコンテンツを配信する仕組みを構築するインターネット放送局、コンテンツ販売サイト、ＣＡＴＶ、などの供給システムの構築を行うためのサーバ、情報処理装置又は情報処理方法、並びにコンピュータプログラム、ソフトウェアとしての提供も可能である。
【図面の簡単な説明】
【００２５】
【図１】本発明の一実施の形態に係るコンテンツ配信システムの構成図である。
【図２】Ｗｅｂサーバ１の詳細な構成を示す図である。
【図３】検索ＤＢサーバ２の詳細な構成を示す図である。
【図４】ライセンスＤＢサーバ３の詳細な構成を示す図である。
【図５】ライセンスＤＢ３３の格納データの一例を示す図である。
【図６】本発明の一実施の形態に係るコンテンツ配信システムによるコンテンツ購入時の処理の流れを詳細に説明するフローチャートである。
【図７】本発明の一実施の形態に係るコンテンツ配信システムによるコンテンツ再生要求時の処理の流れを詳細に説明するフローチャートである。
【図８】本発明の一実施の形態に係るコンテンツ配信システムによるコンテンツ再生時の処理の流れを詳細に説明するフローチャートである。
【符号の説明】
【００２６】
１・・・Ｗｅｂサーバ、２・・・検索ＤＢサーバ、３・・・ライセンスＤＢサーバ、４・・・コンテンツ配信サーバ、５・・・ユーザ端末、６・・・ネットワーク、１１・・・制御部、１２・・・通信制御部、１３・・・記憶部、２１・・・制御部、２２・・・通信制御部、２３・・・検索ＤＢ、３１・・・制御部、３２・・・通信制御部、３３・・・ライセンスＤＢ。
【図１】
2006129095.tif 000003
【図２】
2006129095.tif 000004
【図３】
2006129095.tif 000005
【図４】
2006129095.tif 000006
【図５】
2006129095.tif 000007
【図６】
2006129095.tif 000008
【図７】
2006129095.tif 000009
【図８】
2006129095.tif 000010